(57)【要約】  【課題】使用者に対するホールド感と使用者の動作の自由性とを両立させた座り心地のよい椅子を提供する。  【手段】合成樹脂より成るシェル状の背板１４を備えた椅子において、背板１４を、背当て部１５と腰当て部１６とが一体に連続した形態とする。背当て部１５と腰当て部１６との正面視での最大横幅は座２の横幅と略同じ程度の寸法であり、かつ、腰当て部１６の左右両端部は背当て部１５の下端よりも前方に突出した前向き張り出し部１６ａになっている。また、背当て部１５と腰当て部１６との境界部はくびれ部３ａになっている。腰当て部１６の凹みの程度が最も大きく、上方に行くに従って凹みの程度は小さくなっている。【選択図】      図２
2006204802.tif 000002
【特許請求の範囲】
【請求項１】
座と背もたれとを備えており、前記背もたれを、着座した人の背中を支持する背当て部と着座した人の腰部を支持する腰当て部とが上下に連続した形態に形成している椅子であって、
前記背もたれの背当て部は、その最大横幅寸法が座の横幅寸法と略同じ程度かそれよりも大きい寸法であると共に、前面のうち少なくとも下部が平面視で前向き凹状に凹でいる一方、
前記腰当て部は、その前面が背当て部の前面と滑らかに連続して平面視で前向き凹状に凹んでおり、この腰当て部の左右両端部を背当て部の下端よりも前方に突出した前向き張り出し部に形成している、
椅子。
【請求項２】
前記背当て部の正面視形状は、下端部が最も巾狭で上方に向けて巾寸法が徐々に大きくなる非ストレート状に形成されている一方、前記腰当て部の前向き張り出し部は、側面視前向き凸の略山形でかつ正面視外向き凸の略山形に形成されており、正面視において腰当て部と背当て部とが連続する部分はくびれ部になっている、
請求項１に記載した椅子。
【請求項３】
前記背もたれは、前記背当て部と腰当て部とが形成された樹脂製の背シェル板を備えており、この背シェル板における腰当て部は、着座した人の荷重が掛かっても撓み変形し難い剛体構造になっている一方、
前記背当て部の少なくとも上部は、着座した人の荷重によって撓み変形可能な強度に設定されている、
請求項１又は２に記載した椅子。
【請求項４】
座の後部の左右外側に、平面視で前後長手でかつ水平旋回自在な肘当てを有する肘掛け装置が配置されている一方、
前記背もたれは、非後傾状態において腰当て部が最も手前に位置して背当て部は側面視で後傾した姿勢になっており、背もたれにおける前記くびれ部の存在により、肘当てが平面視において腰当て部の前向き張り出し部と部分的に重なった状態で水平旋回することが許容されている、
請求項１〜３のうちの何れかに記載した椅子。
【発明の詳細な説明】
【技術分野】
【０００１】
本発明は、背もたれを備えた椅子に関するものである。
【背景技術】
【０００２】
椅子の背もたれは多くの形態が提案されかつ実施されている。例えば、正面視の形状を挙げると、略正方形や略縦長長方形のような略四角形（コーナー部には丸みを持たせていることが多い）、略台形（一般に上辺が巾広で下辺が巾狭になっていることが多い）、円形、横長の楕円形、略半円形（上辺がフラットになっていることが多い）などが挙げられる。
【０００３】
また、平面視の形状では、前面がフラットになっているものもあるが、着座した人の身体とのフィット性を高めるために前向き凹状に凹ませ（湾曲させ）ているものが多い。側面視の形状（縦断正面図の形状）としはて、全体に直線状になっているものと、着座者の腰に当たる部分が前向き凸状に湾曲しているものとがある。
【０００４】
背の形状は、椅子の構造や用途、素材等と密接に関連している。例えば個人がリビングルームで使用する椅子は機能面での制約がないため斬新なデザインを採用し得るが、キャスター付きの事務用回転椅子や会議室用椅子では、安定性や動きの確保、軽量化、着座した人の姿勢の保持などの多くの要請があり、このため、背もたれのデザインも制約を受けることが多い。
【０００５】
事務用回転椅子における背もたれのユニークな形態として、特許文献１が挙げられる。この特許文献１の背もたれは、着座した人の脇腹の当たりの高さに位置した部分が座の横幅と同じ程度の寸法の巾広部となっていて、巾広部を挟んだ上下両側の部分は座の横幅寸法よりも遥かに小さい細巾部になっている。そして、巾広部を平面視で前向き凹状に湾曲した形状に形成している。
【特許文献１】意匠登録第１０８３７５８号公報
【発明の開示】
【発明が解決しようとする課題】
【０００６】
ところで、例えば事務用椅子の場合、椅子の使用態様として、一般的には、人が身体を起こして作業を行う場合と、上半身を後ろに背もたれに凭れ掛かけてリラックスする場合とに大別される（この分け方は便宜的なもので、背もたれに凭れ掛かった状態でも、例えばマウスでパソコンを操作したり書類を読んだりといった作業を行うこともある。）。
【０００７】
そして、身体を起こして作業を行う場合は、人は背筋を伸ばした姿勢が保持されていると疲れにくいものである。人の上半身は腰椎で支えられているから、腰椎を背後から支えていると猫背姿勢になることを防止して背筋を伸ばした姿勢に保持することができる。他方、上半身を後傾させてリラックスする場合は、背もたれには適度のクッション性が要請される。
【０００８】
身体を直立させた姿勢でも後傾させた姿勢でも、着座した人の身体が背もたれによって包込まれるような状態になると、人の姿勢の安定性は高くなる。しかし、人は直立姿勢でも後傾姿勢でも上半身をねじったり横に曲げたりすることがよくあり、従って、包み込み作用（ホールド作用）も度を過ぎると人に圧迫感を与えてしまう。
【０００９】
そして、前記特許文献１では、背もたれの広巾部で着座した人の脇腹の当たりが包まれるような状態になる。しかし、人の脇腹は柔らかくて敏感な部分であるため、これに背もたれが当たると違和感や不快感を与える虞がある。特に、上半身をねじったり横に曲げたりしたときに、背もたれの広巾部が脇腹に当たることによる違和感は強く表れると懸念される。
【００１０】
また、脇腹の当たりを背後から支えても腰椎が後傾することは阻止し難いため、猫背姿勢を是正するのには十分でない。更に、背もたれのうち広巾部の上方と下方の細巾部は座の横幅より遥かに小さいため、着座した人が上半身を左右にずらすと、背中が背もたれからずれ落ちるような傾向を呈することになり、この点でもサポート感が十分とは言えない。
【００１１】
本願発明は、このような現状を改善することを課題とするものである。
【課題を解決するための手段】
【００１２】
既述のように、身体の安定性を確保するために背もたれによる包み込み作用は重要である。この場合、人は、脇腹のような柔らかくて鋭敏な部分に背もたれが強く当たると違和感を生じるが、腰の部分は骨盤の存在により、押されても対して違和感を受けない鈍感な部分になっている。
【００１３】
また、着座した人は、上半身を後傾させた状態で上半身のねじり動作を行ったり左右方向への曲げ動作を行ったりすることがあるが、このねじりや曲げは骨盤を中心にして行うものであるため、背をねじったり横に曲げたりしても骨盤の移動や姿勢変更は殆どない。本願発明者は、このような考察や知見を基に本願発明を完成させるに至った。
【００１４】
本願発明の椅子は、座と背もたれとを備えており、前記背もたれを、着座した人の背中を支持する背当て部と着座した人の腰部を支持する腰当て部とが上下に連続した形態に形成しているいる。
【００１５】
そして、請求項１の発明では、前記背もたれの背当て部は、その最大横幅寸法が座の横幅寸法と略同じ程度かそれよりも大きい寸法であると共に、前面のうち少なくとも下部が平面視で前向き凹状に凹でいる（窪んでいる）一方、前記腰当て部は、その前面が背当て部の前面と滑らかに連続して平面視で前向き凹状に凹んでおり、この腰当て部の左右両端部を背当て部の下端よりも前方に突出した前向き張り出し部に形成している。
【００１６】
請求項２の発明では、請求項１において、前記背当て部の正面視形状は、下端部が最も巾狭で上方に向けて巾寸法が徐々に大きくなる非ストレート状に形成されている一方、前記腰当て部の前向き張り出し部は、側面視前向き凸の略山形でかつ正面視外向き凸の略山形に形成されており、正面視において腰当て部と背当て部とが連続する部分はくびれ部になっている。
【００１７】
請求項３の発明では、請求項１又は２において、前記背もたれは、前記背当て部と腰当て部とが形成された樹脂製の背シェル板を備えており、この背シェル板における腰当て部は、着座した人の荷重が掛かっても撓み変形し難い剛体構造になっている一方、前記背当て部の少なくとも上部は、着座した人の荷重によって撓み変形可能な強度に設定されている。
【００１８】
請求項４の発明では、請求項１〜３のうちの何れかにおいて、座の後部の左右外側に、平面視で前後長手でかつ水平旋回自在な肘当てを有する肘掛け装置が配置されている一方、前記背もたれは、非後傾状態において腰当て部が最も手前に位置して背当て部は側面視で後傾した姿勢になっており、背もたれにおける前記くびれ部の存在により、肘当てが平面視において腰当て部の前向き張り出し部と部分的に重なった状態で水平旋回することが許容されている。
【発明の効果】
【００１９】
本願発明では、背もたれにおける腰当て部に前向き張り出し部を設けたことにより、腰当て部によって着座した人の腰部の包み込む作用が高くなる。換言すると、着座した人は腰当て部による腰部のホールド感が高くなり、このため、上半身を起こした姿勢でも後傾させた姿勢でも、高い安定性を確保できる。また、着座者が上半身を起こした姿勢において腰当て部によって骨盤の倒れを防止できるため、着座者は背筋を伸ばした姿勢を保持することができる。
【００２０】
そして、前向き張り出し部は腰当て部のみに形成されているため、着座した人が上半身をねじりったり横方向に曲げたりする動作にはなんら影響はせず、動作の自由性が確保される。むしろ、人の腰が大きく横ずれしないように前向き張り出し部によって包み込むようにサポート（ホールド）されていることにより、上半身の動きの中心がしっかりと定まり、ねじりや曲げの動作を行いやすくなると言える。更に、背当て部は通常の椅子の背もたれと同じ横幅がるあるため、例えば横方向に上半身を曲げる動作をしても背中は背当て部によってしっかりと支持されており、このため、上半身の安定性を確保できる。
【００２１】
結局、本願発明によると、着座した人の上半身の姿勢安定性と動作の自由性との両方を兼ね備えることができるのであり、これにより、人に快適な使い心地を与えることができるのである。なお、着座した人は、例えば腰当て部の前向き張り出し部に手で掴んで（或いは手の平を当てて）胸を突きだすという一種のリフレッショ動作を行うこともできる。すなわち、腰当て部の前向き張り出し部を手の支持部に使用できるのであり、この点も本願発明の利点の１つである。
【００２２】
背当て部は左右側面の間隔が略等しいストレート状に形成することも可能であるが、請求項２のように背当て部と腰当て部との境界をくびれ部に形成すると、着座した人の脇腹に背当て部が当たることを確実に防止できる。このため、人が着座した状態で上半身を横に曲げるといった動作を行うに際しての自由性をより一層向上できる。
【００２３】
ところで、人の胴体に関しては、ウエストがくびれている体形は理想の体形といえる。そして、請求項２の構成の背もたれは、いわば人の理想の体形を連想させる形態にななっており、このため、人に、好ましい椅子としてのイメージを与える効果も発揮している。換言すると、適度のホールド感を確保して快適な座り心地を与えるという機能が視覚的に表現されているのであり、この点も請求項２の利点の１つである。
【００２４】
人の腰（骨盤及び腰椎）は上半身を支えるものであるため高い姿勢安定性が求められる。他方、人が背もたれに凭れ掛かった状態では適度のクッション性が求められる。そして、請求項３のように構成すると、腰当て部は剛体構造で背当て部は撓み変形可能な構造であるため、腰部の安定的な保持機能と凭れか掛かり時のクッション性とを兼備することができて、より好適である。
【００２５】
椅子には肘掛け装置を設けことが多い。この場合、肘当てが水平旋回する構成であると人は腕（第１腕）の水平姿勢を自由に選択できるため、好ましい。また、肘当てを座の後部寄りに配置すると、例えば上半身を後傾させた姿勢であっても肘を肘当てに載せることができる利点がある。そして、請求項４のように構成すると、背もたれにくびれ部を設けたことにより、肘当てはその水平旋回機能を損なうことなく後部に配置することができ、このため、肘当ての使い勝手をより向上できる利点がある。
【発明を実施するための最良の形態】
【００２６】
(1).概要
次に、本願発明の実施形態を図面にも基づいて説明する。まず、図１〜図４に基づいて概要を説明する。図１は椅子の正面図、図２のうち（Ａ）は平面図、（Ｂ）は左側面図、図３のうち（Ａ）は背面図、（Ｂ）〜（Ｄ）は（Ａ）のＢ−Ｂ、Ｃ−Ｃ、Ｄ−Ｄの切断線で示した断面図、図４は脚を省略した状態での底面図である。
【００２７】
これらの図から理解できるように、椅子は、脚１と座２と背もたれ３、左右一対の肘掛け装置４とを備えている。脚１は、ガスシリンダから成る脚支柱５とこの脚支柱５から放射状に延びる複数本（５本）の枝足６とを備えており、各枝足６の先端にはキャスター７を設けている。
【００２８】
脚支柱６の上端には上向きに開口した座受けベース８が取付けられており、この座受けベース８の上面に座受けシェル９が固着されており、この座用座受けシェル９に座が取付けられている。座受けベース８の左側面からは、背もたれ３を後傾動可能な状態と後傾動不能な状態とに切り換えるためのロックレバー１０が露出しており、また、座受けベース８の前面からは、座２の高さ調節を行うための昇降レバー１１が露出している。
【００２９】
なお、ロックレバー１０の先端に略卵形のグリップ１２が固定されており、このグリップ１２を掴んでロックレバー１０を軸心回りに回転することにより、背もたれ３はフリー状態とロック状態とに切り換わる。他方、昇降レバー１１は座２の前部の下面に沿って左右方向に長く延びる指掛け１３を備えており、指掛け１３を上向きに引くと、脚柱であるガスシリンダは伸縮可能（昇降可能）なフリー状態になる。
【００３０】
背もたれ３は、その主要メンバーである合成樹脂製の背板１４を備えている。本実施形態では背板１４と背もたれ３とは同一視され得るものである。背板１４は、着座した人の背中を支持する背当て部１５と着座した人の腰部を支持する腰当て部１６とが上下に連続した形態に形成されており、更に、腰当て部１６には座２よりも下方に延びる取付け部１７が一体に連続している。図３に示すように、取付け部１７は背面視下向き凸で丸みを帯びた山形に形成されている。背当て部１５と腰当て部１６との前面には、互いに分離したクッション１８，１９を配置している。
【００３１】
背もたれ３の背当て部１５はその上部が最も広巾で下方に向けて横幅が小さくなる略逆台形状に形成されている一方、腰当て部１６は正面視で略楕円状に形成されており、このため、背当て部１５と腰当て部１６との境界部は、正面視で滑らかなカーブを描いたくびれ部３ａになっている。
【００３２】
また、腰当て部１６の左右端部は背当て部１５よりも手前に張り出した前向き張り出し部１６ａになっている。前向き張り出し部１６ａは側面視で前向き凸の山形に形成されており、全体として丸みを帯びている。また、図３（Ｂ）に示すように、前向き張り出し部１６ａは他の部分よりも遥かに厚肉に形成されている。背当て部１５及び腰当て部１６の正面視における最大横幅は座２の左右横幅と殆ど同じ寸法に設定されている。
【００３３】
背板１４の上端には、衣服を掛けることのできるハンガー２０がねじ止めによって着脱自在に取付けられている。ハンガー２０の上部は背板１４の上端よりも後方に張り出していると共に、左右両側に張り出している。このため、ハンガー２０の上部と背板１４との間には空間２１が空いており、この空間に例えば背広の襟を入れ込むことができる。
【００３４】
(2).座受け部の概略
次に、図５〜図８も参照して座受け部の概要を説明する。図５は各種部材の分離斜視図、図６は座２の取付け構造を示す部分的な縦断正面図、図７は肘掛け４の取付け手段を示す斜視図、図８のうち（Ａ）は椅子の部分的な縦断側面図、（Ｂ）は（Ａ）の部分拡大図である。
【００３５】
本実施形態の座受けベース８はアルミダイカストのような金属又は樹脂の成形品であり、図４及び図５に示すように、座受けベース８の左右両側部の上端に、左右外側に張り出したレール部２３を形成し、このレール部２３に座受けシェル９を装着している。座受けベース８には、レール部２３を下方から抱き込む抱持片２４が前後方向に適宜間隔で複数個形成されている。レール部２３には、抜け止め用のストッパー２５を形成している。詳細は省略するが、座受けベース８は前後位置を３段階に調節することができる。
【００３６】
図６に示すように、座２は、合成樹脂製のインナーシェル（座板）２６にウレタン等のクッション材２７を張った構造になっている。座２は、インナーシェル２６の左右両側部に形成した係合穴２８と座受けシェル９に形成した係合爪２９との嵌め合わせることにより、座受けシェル９に取付けられている。なお、クッション材２７を設けずにインナーシェル２６を露出させるなど、座２は様々の形態を採用できる。
【００３７】
図１や図３に示すように、肘掛け装置４は、支柱３０と、支柱３０に昇降自在に嵌まった昇降体３１と、昇降体３１に水平旋回自在に取付けられた前後長手の肘当て３２とを備えている。そして、図７に示すように、支柱３０の下端には水平状の基部３０ａが折り曲げ形成されている。一方、座受けベース８の後部の上端には左右一対の横向き張り出し部３３が形成されており、支柱３０の基部３０ａに、座受けベース８の横向き張り出し部３３に重なるブラケット板３４を溶接し、ブラケット板３４をビス３５で横向き張り出し部３３に固定している。
【００３８】
例えば図２から理解できるように、肘掛け装置４は椅子の後部に配置されており、その端部が平面視で背板１４における腰当て部１６の前向き張り出し部１６ａと重なるように配置されている。なお、肘掛け装置４は左右一対あるが、図１〜３では片方だけしか表示していない。
【００３９】
図８に示すように、座受けベース８には、脚支柱５を構成するガスシリンダの昇降筒５ａの上端部が下方から嵌着している。脚支柱５は、昇降筒５ａとこれが摺動自在及び回転自在に嵌まった固定筒とを備えている。昇降筒５ａはその上面から突出したプッシュバルブ３６を備えており、昇降用レバー１１を上向き回動操作してプッシュバルブ３６を下方に押すと、ロックが解除されて座２の高さ調節を行うことができる。
【００４０】
(3).背もたれの取付け
次に、図５や図８等の既述の図に加えて図９〜図１６も参照して背もたれ３の詳細を説明する。図９は背もたれ３を取付ける部材の分離斜視図であり、この図に示すように、背もたれ３は、背受けフレーム３８とばねユニット３９とを介して座受けベース８に取付けられている。
【００４１】
図１０は背受けフレーム３８の斜視図（一部の材を省略している）、図１１は背受けフレーム３８の側断面図、図１２はばねユニット３９の部分の断面図、図１３のうち（Ａ）は背もたれ２の縦断側面図、（Ｂ）は（Ａ）の部分的な拡大図、（Ｃ）は（Ｂ）を矢印Ｃ方向から見た図、（Ｄ）は（Ａ）のＤ−Ｄ視図、図１４のうち（Ａ）は背もたれ２（背板１４）の底面図、（Ｂ）は背板１４のうち取付け部１７の下部の平断面図、（Ｃ）は図３（Ａ）のXIVA-XIVA 視断面図、図１５は背板１４の下部の斜視図、図１６は背板１４と背受けフレーム３８との関係を示す分離平面図である。
【００４２】
図５や図９に示すように、背受けフレーム３８は、丸パイプ（丸棒又は角棒、各パイプでもよい）を折り曲げて形成した平面視略Ｕ文字状のフロントメンバー４０と、フロントメンバー４０の後端部に溶接によって固着した中間金具４１と、中間金具４１に溶接によって固定された左右一対のリアメンバー４２とを備えており、リアメンバー４２に背板１４が取付けられている。
【００４３】
背受けフレーム３８におけるフロントメンバー４０の左右長手の前端部は回動軸４０ａになっており、この回動軸４０ａが座受けベース８に回転可能に取付けられている。具体的には、図５及び図８に示すように、座受けベース８の内部に、回動軸４０ａに下方から重なる下軸受け４３と上方から重なる上軸受け４４とを重ねて配置し、両軸受け４３，４４を押さえ部材４５によって離脱不能に保持している。
【００４４】
上下の軸受け４３，４４は座受けベース８に形成されたリブによって前後左右にずれ不能に保持されており、また、押さえ部材４５は、座受けベース８に形成したボス部４７の上面にビス４８で固定されている。上下の軸受け４３，４４はずれないように互いに嵌まり合っている。また、本実施形態では、下軸受け４３は昇降レバー１１の抜け止め部材及び軸受け部材も兼用している。
【００４５】
図５に概略を示すように、座受けベース８の後部には左右一対（一体構造でも良い）の樹脂製のガイド部材４９が差し込み装着されている。背受けフレーム３８は、前記したガイド部材４９により、左右ずれ不能に保持されている。また、背受けフレーム３８を構成するフロントメンバー４０は、座受けベース８にビス止めされた左右長手のストッパー５８により、上向き回動が阻止されている。
【００４６】
図５及び図８に示すように、前記ロックレバー１０には、座受けベース８の内部に位置した左右一対のストッパー５０が相対回転不能に取付けられている。ストッパー５０は背受けフレーム３８におけるフロントメンバー４０の前後長手部の下方に位置しており、ロックレバー１０を回転してストッパー５０を上向きの姿勢と横向きの姿勢とに変えることにより、背受けフレーム３８が回動可能状態と回動不能状態とに切り換えられる。図８（Ａ）では回動不能なロック状態を表示している。
【００４７】
詳細は省略するが、左右ストッパー５０の下方には、座受けベース８の底部にずれ不能に配置された受け部材５１を配置している。受け部材５１は弾性変形してストッパー５０に嵌脱するる係合部５１ａを備えており、係合部５１ａの作用により、ストッパー５０はロック姿勢に保持される。
【００４８】
背受けフレーム３８のリアメンバー４２は金属丸パイプ製（丸棒製や角パイプ製、角棒製でも良い）であり、背板１４の取付け部１７の前面縁に重なるように形成されており、かつ、左右両端には起立部４２ａが形成されている。また、起立部４２ａには、先端に向けて細くなっている段違い状のロッド５２を強制嵌合又はビス止めによって抜け不能に嵌め込んでいる。ロッド５２のうち径が変わる段部はテーパ状に形成されており、また、先端は丸みを帯びている。
【００４９】
他方、背板１４における腰当て部１６の左右端部には、リアメンバー４２の起立部４２ａ及びロッド５２が嵌まる傾き開口の取付け穴５３が空けられており、取付け穴５３と起立部４２ａ及びロッド５２との嵌まり合いにより、背板１４が背受けフレーム３８に固定されている。取付け穴５３は、腰当て部１６のうち前向き張り出し部１６の付け根部に位置しており、当然のことながら、取付け穴５３がある部分は肉厚になっている。なお、リアメンバー４２を丸棒製とした場合は、ロッド５２は嵌め込み式（キャップ方式）にしたらよい。
【００５０】
着座した人が背もたれ２にもたれかかると、起立部４２ａ及びロッド５２には曲げモーメントがかかる。この場合、ロッド５２がなくて起立部４２ａのみであると、起立部４２ａの上端のエッジの箇所に応力が集中して、背板１４が破断しやすくなる。これに対して本実施形態のように段違い状のロッド５２を設けると、モーメントが局部的に集中することを防止して強度を向上できる利点がある。
【００５１】
例えば図３（Ａ）や図１４（Ａ）に示すように、背受けフレーム３８のリアメンバー４２の下端部は水平部４２ｂになっている。そして、背板１４における取付け部１７の下部の前面には、リアメンバー４２の水平部４２ｂが嵌まり込む上下のリブ５４，５５を突設している。リアメンバー４２の起立部４２ａを背板１４の取付け穴５３に挿入し切ると、リアメンバー４２の水平部４２ｂが上下リブ５４，５５の間に嵌まり込むように設定されており、これにより、背板１４はビス等の固定手段を要することなく背受けフレーム３８に対して上下動不能に保持される。
【００５２】
仮に、背板１４がリアメンバー４２の起立部４２ａのみで支持されていると、着座した人が背もたれ２にもたれ掛かることによりモーメントと起立部４２ａの部分に集中して作用することになる。これに対して、本実施形態では、リアメンバー４２の水平部４２ｂによっても背板１４が支持されるため、背もたれ荷重はリアメンバー４２の上部と下端部との２カ所において支持されることになり、このため、背板１６を過度に厚くしなくても高い強度を保持することができる。
【００５３】
背板１４における上下のリブ５４，５５は左右一対ずつ形成されている一方、背受けフレーム３８における中間金具４１には、上部のリブ５４に外側から嵌合する切欠き５６を形成している。また、背受けフレーム３８におけるフロントメンバー４０の左右後端部を切欠き５６の箇所に配置しており、フロントメンバー４０の左右後端部が背板１４における上部のリブ５４の中空部内に入り込むように設定している。これら切欠き５６及びフロントメンバー４０とリブ５４との嵌まり合いにより、背板１４は背受けフレーム３８に対して左右ずれ不能に保持されている。
【００５４】
更に、背板１４における取付け部１７の周縁部には、背受けフレーム３８のリアメンバー４２のうち水平部と起立部４２ａとの間の部分が嵌まり込む凹所５７を形成している。凹所５７は一連に延びているが、これは、リブ効果による強度の向上と美的効果とを狙ったものである。なお、背受けフレーム３８の具体的な構造や背板１４の取付け構造は様々に具体化できる。
【００５５】
(4).ばねユニット
次に、主として図９と図１２とに基づいてばねユニット３９について説明する。ばねユニット３９は、ばね体の一例としての圧縮コイルばね６０と、この圧縮コイルばね６０を手前から受ける前部ばね受け６１と、圧縮コイルばね６０を後部からうける後部ばね受け６２と、前後ばね受け６１，６２に嵌まった調節ロッド（調節ボルト）６３と、調節ロッド６３に後方から嵌まったハンドル（摘まみ）６４と、前部ばね受け６１に手前側から嵌まった軸支部材６５とを備えている。ばねユニット３９はカバー６９で下方から覆われている。
【００５６】
軸支部材６５は、左右長手の樹脂製の受け部材６７により、座受けベース８の後部に形成した凹所６８に支持されている。図９に示すように、軸支部材６５と前部ばね受け６１との嵌合部は断面角形（非円形）であり、このため、前部ばね受け６１は回転不能に保持されており、かつ、前部ばね受け６１は軸支部材６５に対して前後スライド自在に嵌まっている。
【００５７】
他方、後部ばね受け６２は、背受けフレーム３８における中間金具４１の空所に入り込んでいる。また、後部ばね受け６２には、調節ロッド６３が嵌まる筒状のボス部６２ａが後向きに突設されており、ボス部６２ａは、中間金具４１に設けた穴から後方に露出している。
【００５８】
前部ばね受け６１にはナット７０を回転不能に埋め込んでおり、このナット７０に調節ロッド６３がねじ込まれている。また、調節ロッド６３の前端部には、底板付きのブッシュ７１が座金を介してビス７１′によって固定されている。ブッシュ７１は軸支部材６５に摺動自在に内装されている。
【００５９】
調節ロッド６３の後端には六角等の非円形の頭６３ａを一体に設けており、この頭６３ａにハンドル６４のボス部６４ａ嵌め込んでいる。頭６３ａへのハンドル６４の嵌め込みは後方から強制的に押し込むことによって行っており、ハンドル６４は後方に強く引っ張ると調節ロッド６３から抜き外すことができる。
【００６０】
ハンドル６４のボス部６４ａは背もたれ３の貫通穴７２に遊嵌している。本実施形態では、ハンドル６４は前後２つの部材の嵌め合わせによって成形している。また、ハンドル６４は、全体に丸みを帯びつつハンドル６４と直交した方向に長手の略卵形に形成されている。すなわち、長手方向の一端部が太くて他端部が細くなるような卵形に形成されており，太い部分に調節ロッド６３の頭６３ａが取付けられている。
【００６１】
ハンドル６４が略卵形であって人が痛みを感じることなく掴むことがてきることと、調節ロッド６３の取付け位置が偏心していることで回転操作に際してモーメントが掛かることにより、回転操作を軽快に行うことができる（この点はロックレバー１０のグリップ１２も同じである。）。
【００６２】
図１２では、圧縮コイルばね６０の初期弾性力が最も弱い状態を示しており、この状態からハンドル６４を回転操作すると、前部ばね受け６１が引っ張られて後方に移動し、初期弾性力が強くなる。
【００６３】
着座した人が背もたれ３にもたれ掛かると、背受けフレーム３８の傾動支点とばねユニット３９の傾動支点とが相違することに起因して後部ばね受け６２は手前側に押され、これにより、背もたれ３は圧縮コイルばね６０を圧縮変形させながら後傾動する。背もたれ３の後傾動に際してばねユニット３９も後傾動し、かつ、後部ばね受け６２は調節ロッド６３と相対的に摺動する。
【００６４】
(5).クッション材の取付け
背板１４へのクッション材１８，１９の取付には、図１３に示したクリップ部材７４を使用している。このクリップ部材７４は、軸７５の一端部には円形の頭７６を他端部には鉤部７７を形成しており、鉤部７７は軸７５と同じ程度の巾寸法であり、軸７５と鉤部７７とでＴ字状の形態を成している。頭７４の頂面にドライバやコインで回転操作するための係合溝７８を形成している。
【００６５】
他方、クッション材１８，１９は樹脂製の基板７９を備えており、基板７９に、クリップ部材７４の鉤部７７が嵌まる長穴８０と、鉤部７７が回転することを許容する凹所８１とを形成している。背板１４にも、クリップ部材７４の鉤部７７が嵌まる長穴８０′を形成している。図から理解できるように、クリップ部材７４の鉤部７７を基板７９の長穴に挿入してからクリップ部材７４を回転すると、鉤部７７が凹所８１の底面に摩擦を持って当接し、これにより、クッション材１８，１９は離脱不能に保持される。
【００６６】
本実施形態では、上クッション材１８は上下左右の４箇所を止めており、下クッション材１９は左右２カ所を止めている。クッション材１８，１９の取付け手段はクリップ部材を使用することには限らず、他の様々の手段を採用できる。例えば、基板７９にクリップ式の爪を形成し、この爪を背板１６に設けた穴に弾性変形させて嵌め込むという方法や、両面粘着テープによる取付け、面ファスナーを使用した取付けなども採用できる。
【００６７】
なお、上クッション体１８を取付けるためのクリップ部材７４は正面視で左右に配置されているが、便宜的に、縦断側面図図である図１３に表示している。まてた、図１３では、下クッション体１９を取付けるクリップ部材は省略している。
【００６８】
(6).背板の補充及びまとめ
図３（Ｂ）（Ｃ）（Ｄ）に示すように、背板１４はその全長にわたって前向き凹状に凹んでいるが、凹みの程度は腰当て部１６の箇所において最も大きく、上方に行くに従って平坦に近い状態になっている（上端部を平坦に形成してもよい）。また、例えば図１３（Ａ）に示すように、背板１４は腰当て部１６の箇所を頂点にして前向き凸状に形成されているが、この場合、腰当て部１６は側断面が湾曲しているのに対して、背当て部１５の側断面形状はフラットに近い形状になっている。
【００６９】
そして、腰当て部１６は平断面及び側断面で湾曲していることと、前向き張り出し部１６ａが厚肉であることとにより、着座者の荷重が作用しても基本的には変形しない剛体構造になっている。このため、着座した人の腰部を的確にサポートして、着座した人は高い安定性を得ることができる。
【００７０】
他方、背当て部１５は厚さが全体にわたって略等しいことと、側断面形状は略フラットであることと、平断面視での凹みの程度が上部に行くに従って小さくなっていることとにより、着座者の背もたれ荷重によって撓み変形することが許容されており、これにより、ロッキング時のクッション性を得ることができる。
【００７１】
本実施形態のように、背板１４を背受けフレーム３８に直接に取付けると、それだけ部材を節約したコストダウンできるのみならず、すっきりとしたデザインになって美感の面でも優れている。また、腰当て部１６の前向き張り出し部１６ａを厚肉にしたことにより、背受けフレーム３８のリアメンバー４２への取付けを支障なく行うことができる。
【００７２】
背受けフレーム３８のリアメンバー４２は背板１４の背面部に設けることも可能であるが、本実施形態のように背板１４の前面側に配置すると、リアメンバー４２が露出することを抑制できるため美感に優れている。
【００７３】
また、本実施形態のように背当て部１５と腰当て部１６とに別々のクッション材を取付け得る構成にすると、くびれ部３ａを備えている背板１４でありながらクッション材の取付けを至極簡単に行うことができ、また、上下のクッション材の色を変えることによって見た目を変えることもできる。腰当て部１６に設けるクッション材はランバーサポートの機能を兼備し得るものであるが、前後高さの異なるものを複数種類用意しておいて、使用者の好みによって選択するといったことも可能である。
【００７４】
更に、クッション材を腰当て部１６のみ又は背当て部１５のみに設けるというように、使用者の好みによってクッション材の取付けを選択することも可能である。クッション材を分離方式にする場合、上下２つに分離することには限らず、３つ以上に分離しても良い。更に、背板１４がくびれ部３ａを備えているようにな複雑な形状でも、クッション体の製造及び取付け（張り加工）を簡単に行える利点もある。  
【００７５】
(7).変形例
図１７では背もたれの変形例を示している。（Ａ）は背面図、（Ｂ）はハンガー２０を取り外した状態での正面図である。この実施形態は、背板１４に多数のスリット８２を形成した点に特徴がある。この例では、背当て部１５の上部にスリット８２の群が同心円を描くように多数形成されている。このスリット８２の群の存在により、背当て部１４はより撓み変形しやすくなる。なお、クリップ部材７４を使用したクッション材の取付けにスリット８２を利用している。
【００７６】
スリット８２の群を設ける場合、その配置場所やパターンは任意に設定することができる。例えば腰当て部１６に多数のスリットを形成することにより、通気性を良くするといったことも可能である。また、背板１４を合成樹脂製とする場合、密着・離反自在な金型を使用した射出成形法で製造することになるが、スリットの群の存在によってキャビティの投影面積が小さくなるため、型締め能力が小さい成形機を使用できる利点もある。
【００７７】
(7).その他
本願発明は、上記の実施形態の他にも様々に具体化することができる。例えば、座をフレームにネットを張った構造としたり、背もたれに予めクッション材を張っておくことも可能である。更に、本願発明は、座が背もたれの後傾動に連動して後退動及び後傾動するシンクロ構造の椅子に適用したり、或いは、背もたれが後傾動しない固定タイプの椅子に適用することも可能である。
【図面の簡単な説明】
【００７８】
【図１】本願発明の実施形態に係る椅子の椅子の正面図である。
【図２】(A)は椅子の平面図、 (B)は左側面図である。
【図３】(A)は椅子の背面図、 (B)〜 (D)は (A)の断面図である。
【図４】脚を省略した状態での底面図である。
【図５】座受けベースの周辺の部材の分離斜視図である。
【図６】座の取付け構造を示す部分的な縦断正面図である。
【図７】肘掛けの取付け手段を示す斜視図である。
【図８】(A)は座受け部の縦断側面図、 (B)は (A)の部分拡大図である。
【図９】背もたれを取付けに要する部材の分離斜視図である。
【図１０】背受けフレームの斜視図である。
【図１１】背受けフレームの側断面図である。
【図１２】ばねユニットの部分の断面図である。
【図１３】(A)は背もたれの縦断側面図、 (B)〜 (D)はクッション材の取付け手段を示し図である。
【図１４】(A)は背もたれの底面図、 (B)は背板のうち取付け部の下部の平断面図、 (C)は図３（Ａ）のXIVA-XIVA 視断面図である。
【図１５】背板の下部の斜視図である。
【図１６】背板と背受けフレームとの関係を示す分離平面図である。
【図１７】変形例を示す図である。
【符号の説明】
【００７９】
１  脚
２  座
３  背もたれ
３ａ  くびれ部
４  肘掛け装置
８  座受けベース
１４  背板
１５  背当て部
１６  腰当て部
１６ａ  腰当て部の前向き張り出し部
１７  取付け部
１８  上クッション材
１９  下クッション材
３２  肘当て
３８  背受けフレーム
３９  ばねユニット
４０  背受けフレームのフロントメンバー
４２  背受けフレームのリアメンバー
４２ａ  起立部
５３  取付け穴
【図１】
2006204802.tif 000003
【図２】
2006204802.tif 000004
【図３】
2006204802.tif 000005
【図４】
2006204802.tif 000006
【図５】
2006204802.tif 000007
【図６】
2006204802.tif 000008
【図７】
2006204802.tif 000009
【図８】
2006204802.tif 000010
【図９】
2006204802.tif 000011
【図１０】
2006204802.tif 000012
【図１１】
2006204802.tif 000013
【図１２】
2006204802.tif 000014
【図１３】
2006204802.tif 000015
【図１４】
2006204802.tif 000016
【図１５】
2006204802.tif 000017
【図１６】
2006204802.tif 000018
【図１７】
2006204802.tif 000019